(57)【要約】  圧縮機または伸延機として用いられるように構成された整形外科装置が提供される。装置は、２つのアーム部材を有し、長方形のピンを堅固に固定させるためのロックスリーブが２つのアーム部材のそれぞれに取付けられる。ロックスリーブは、２軸ヒンジブロックによって２つのアーム部材のそれぞれの外端部に枢支可能に連結され、２軸ヒンジブロックはロックスリーブが垂直に配向された２つの軸を中心に２つの異なる方向にロックスリーブが回転できるように構成される。
2016513559.tif 000002
【特許請求の範囲】
【請求項１】
第１の端部と第２の端部とを有する長方形の本体と、
前記第１の端部に取付けられ、前記第１の端部から延びて外端部で終端する第１のアーム部材と、
前記長方形の本体から延びて基部と外端部とを有する第２のアーム部材とを含み、前記基部は、前記長方形の本体と結合され、前記第２のアーム部材が前記長方形の本体に沿って縦方向へ移動可能にし、前記第２のアーム部材は、前記長方形の本体から前記第１のアーム部材と同じ方向に延び、
２軸ヒンジブロックによってそれぞれの前記第１のアーム部材および第２のアーム部材の外端部に枢支可能に連結されたロックスリーブを含み、前記ロックスリーブは、長方形のピンを収容してロックするように構成され、前記２軸ヒンジブロックは、それぞれのロックスリーブがそれに対応するアーム部材に対して２つの異なる方向に２つの垂直に配向された回転軸を中心に回転するように構成された整形外科装置。
【請求項２】
前記２つの垂直に配向された回転軸のうち第１の回転軸は、前記整形外科装置の前記長方形の本体に平行に配向され、前記ロックスリーブの前記回転シャフトは、第２の回転軸に沿って前記２軸ヒンジブロック内に収容される請求項１に記載の整形外科装置。
【請求項３】
前記ロックスリーブは、内部を通って延びる長方形のピン収容ボアを有する長方形のシャフトと、前記長方形のシャフトの一端部に提供されるコレットとを含み、前記コレットは、外部表面に一体に形成されたネジ山を備えた複数のコレットアームと、前記長方形のピン収容ボア内に収容される長方形のピンをロックするための前記コレットに螺合されるコレットナットとを含む請求項１に記載の整形外科装置。
【請求項４】
前記ロックスリーブは、前記長方形のシャフトから垂直に延びる回転シャフトを備え、前記ロックスリーブは前記２つの垂直に配向された回転軸のうち１つに沿って前記２軸ヒンジブロック内に収容される前記回転シャフトによって前記２軸ヒンジブロックに連結される請求項１に記載の整形外科装置。
【請求項５】
前記２つの垂直に配向された回転軸のうち第１の回転軸は、前記整形外科装置の前記長方形の本体に平行に配向され、前記ロックスリーブの前記回転シャフトは、第２の回転軸に沿って前記２軸ヒンジブロック内に収容される請求項４に記載の整形外科装置。
【請求項６】
前記回転シャフトは、前記２軸ヒンジブロック内で前記第２の回転軸に沿って前記ロックスリーブが前記第２の回転軸を中心に回転することを防止する第１の位置と、前記ロックスリーブが前記第２の回転軸を中心に回転するようにする第２の位置の２つの位置の間で移動可能な請求項５に記載の整形外科装置。
【請求項７】
前記回転シャフトは、前記２軸ヒンジブロック内で前記第２の回転軸に沿って前記ロックスリーブが前記第２の回転軸を中心に回転することを防止する第１の位置と、前記ロックスリーブが前記第２の回転軸を中心に回転するようにする第２の位置の２つの位置の間で移動可能な請求項４に記載の整形外科装置。
【請求項８】
前記２軸ヒンジブロックは、内部を通過する前記回転シャフトを収容するための貫通孔を備え、前記貫通孔は、端部キャップ収容部を有し、前記回転シャフトは、前記貫通孔の前記端部キャップ収容部内にコイルばねを留めておく端部キャップを備え、前記コイルばねは、前記端部キャップ収容部内で通常圧縮状態にあると共に、前記端部キャップに対して前記回転シャフトを第１の位置に向けて前記貫通孔内にさらに引張するように加圧する請求項７に記載の整形外科装置。
【請求項９】
前記回転シャフトは、その基部に隣接した１つ以上の整列タブを備え、前記貫通孔は、前記整列タブを収容するように構成されて適用される整列タブ収容端部を有し、前記貫通孔の前記整列タブ収容端部は、前記整列タブの横断面の輪郭と整合する開口輪郭を有することにより、前記第１の位置にあるとき、前記整列タブが前記整列タブ収容端部と結合して前記ロックスリーブが前記第２の回転軸を中心に回転することを防止する請求項７に記載の整形外科装置。
【請求項１０】
前記第１の位置は、前記ロックスリーブの前記長方形のシャフトを前記整形外科装置の前記アーム部材と平行な配向に保持する配向に前記ロックスリーブを保持する請求項７に記載の整形外科装置。
【請求項１１】
前記回転シャフトを前記第２の位置にロックするように前記回転シャフトと結合する前記２軸ヒンジブロック内に提供されたロックキーをさらに含む請求項７に記載の整形外科装置。
【請求項１２】
前記ロックキーは、前記２軸ヒンジブロック内でばね負荷を受けて前記第２の回転軸を横切る方向に加圧される請求項７に記載の整形外科装置。
【請求項１３】
前記回転シャフトは、前記回転シャフトが前記第２の位置にあるとき、前記ロックキーと結合する環状溝を有するように構成される請求項１１に記載の整形外科装置。
【請求項１４】
前記回転シャフトが前記第１の位置にあるとき、前記ロックキーと前記環状溝は結合されず、前記回転シャフト上に提供された前記整列タブと前記整列タブ収容端部とが結合されることにより、前記回転シャフトが前記第２の回転軸で回転することを防止する請求項１３に記載の整形外科装置。
【請求項１５】
２軸ヒンジブロックとロックスリーブとを含み、前記２軸ヒンジブロックと前記ロックスリーブは、前記ロックスリーブを整形外科装置のアーム部材に枢支可能に連結するように構成され、前記２軸ヒンジブロックは、２つの垂直に配向された回転軸を中心に前記アーム部材に対して２つの異なる方向に前記ロックスリーブを回転させることができるように構成される組立体。
【請求項１６】
前記２つの垂直に配向された回転軸のうち第１の回転軸は、前記整形外科装置の長方形の本体に平行に配向され、前記ロックスリーブの回転シャフトは、第２の回転軸に沿って前記２軸ヒンジブロック内に収容される請求項１５に記載の組立体。
【請求項１７】
前記ロックスリーブは、内部を通って延びる長方形のピン収容ボアを有する長方形のシャフトと、前記長方形のシャフトの一端部に提供されるコレットとを含み、前記コレットは、外部表面に一体に形成されたネジ山を備えた複数のコレットアームと、前記長方形のピン収容ボア内に収容される長方形のピンをロックするための前記コレットと螺合するコレットナットとを含む請求項１５に記載の組立体。
【請求項１８】
前記ロックスリーブは、前記長方形のシャフトから垂直に延びる回転シャフトを備え、前記ロックスリーブは前記２つの垂直に配向された回転軸のうち１つに沿って前記２軸ヒンジブロック内に収容される前記回転シャフトによって前記２軸ヒンジブロックに連結される請求項１５に記載の組立体。
【請求項１９】
前記２つの垂直に配向された回転軸のうち第１の回転軸は、前記整形外科装置の前記長方形の本体に平行に配向され、前記ロックスリーブの前記回転シャフトは、第２の回転軸に沿って前記２軸ヒンジブロック内に収容される請求項１８に記載の組立体。
【請求項２０】
前記回転シャフトは、前記２軸ヒンジブロック内で前記第２の回転軸に沿って前記ロックスリーブが前記第２の回転軸を中心に回転することを防止する第１の位置と、前記ロックスリーブが前記第２の回転軸を中心に回転するようにする第２の位置の２つの位置の間で移動可能な請求項１９に記載の組立体。
【請求項２１】
前記回転シャフトは、前記２軸ヒンジブロック内で前記第２の回転軸に沿って前記ロックスリーブが前記第２の回転軸を中心に回転することを防止する第１の位置と、前記ロックスリーブが前記第２の回転軸を中心に回転するようにする第２の位置の２つの位置の間で移動可能な請求項１８に記載の組立体。
【請求項２２】
前記２軸ヒンジブロックは、内部を通過する前記回転シャフトを収容するための貫通孔を備え、前記貫通孔は端部のキャップ収容部を有し、前記回転シャフトは前記貫通孔の前記端部のキャップ収容部内にコイルばねを留めておく端部キャップを備え、前記コイルばねは、前記端部のキャップ収容部内に、通常の圧縮状態にあると共に、前記端部のキャップに対して前記回転シャフトを第１の位置に向かって前記貫通孔内にさらに引っ張るように加圧する請求項２１に記載の組立体。
【請求項２３】
前記回転シャフトは、その基部に隣接した１つ以上の整列タブを備え、前記貫通孔は、前記整列タブを収容するように構成されて適用される整列タブ収容端部を有し、前記貫通孔の前記整列タブ収容端部は、前記整列タブの横断面の輪郭と整合する開口輪郭を有することにより、前記第１の位置にあるとき、前記整列タブが前記整列タブ収容端部と結合して前記ロックスリーブが前記第２の回転軸を中心に回転することを防止する請求項２１に記載の組立体。
【請求項２４】
前記第１の位置は、前記ロックスリーブの前記長方形のシャフトを前記整形外科装置の前記アーム部材と平行な配向に保持する配向に前記ロックスリーブを保持する請求項２１に記載の組立体。
【請求項２５】
前記回転シャフトを前記第２の位置にロックするように前記回転シャフトと結合する前記２軸ヒンジブロック内に提供されたロックキーをさらに含む請求項２１に記載の組立体 。
【請求項２６】
前記ロックキーは、前記２軸ヒンジブロック内でばね負荷を受けて前記第２の回転軸を横切る方向に加圧される請求項２１に記載の組立体。
【請求項２７】
前記回転シャフトは、前記回転シャフトが前記第２の位置にあるとき、前記ロックキーと結合する環状溝を有するように構成される請求項２５に記載の組立体。
【請求項２８】
前記回転シャフトが前記第１の位置にあるとき、前記ロックキーと前記環状溝は結合されず、前記回転シャフト上に提供された前記整列タブと前記整列タブ収容端部とが結合することにより、前記回転シャフトが前記第２の回転軸で回転することを防止する請求項２７に記載の組立体。
【発明の詳細な説明】
【技術分野】
【０００１】
本開示は、骨部分の圧縮または伸延のための整形外科装置に関するものである。
【背景技術】
【０００２】
骨部分の圧縮または伸延のためのファスナーとして長方形のピンを用いる整形外科装置は、整形外科の患者を治療するため多くの用途に用いられる。ここで、「長方形のピン」とは、骨部分を固定したり、固定物を提供するために用いられるキルシュナー鋼線（K-wire）のような多様なピンとワイヤを指称するために用いられるものである。従って、多様な状況で患者を治療するにあたって、整形外科医の視野と能力を拡大させる向上した整形外科装置に対する継続的な需要がある。
【発明の概要】
【課題を解決するための手段】
【０００３】
本開示の一側面によると、骨部分の圧縮または伸延のために用いることができる整形外科装置が記載されている。整形外科装置は、第１の端部と第２の端部とを有する長方形の本体と、前記第１の端部に取付けられ、前記第１の端部から横方向に延びて外端部で終端する第１のアーム部材と、前記長方形の本体から横方向に延びて基部と外端部とを有する第２のアーム部材とを含む。基部は、第２のアーム部材が前記長方形の本体に沿って縦方向に移動できるようにすると共に、長方形の本体を移動可能に係合するように構成されて適用される。前記第２のアーム部材は、長方形の本体から第１のアーム部材と同じ方向に延びる。また、整形外科装置は、２軸ヒンジブロックによって第１および第２のアーム部材それぞれの外端部に枢支可能に連結するロックスリーブを含み、ロックスリーブは、長方形のピンを収容して長方形のピンにロックするように構成され、２軸ヒンジブロックは、それぞれのロックスリーブがそれに対応するアーム部材に対して２つの異なる方向へ垂直に配向された２つの軸を中心に回転することを許容するように構成される。
【０００４】
別の側面によると、２軸ヒンジブロックとロックスリーブとを含む組立体が開示されている。組立体において、２軸ヒンジブロックとロックスリーブは、ロックスリーブを整形外科装置のアーム部材に枢支可能に連結するように構成され、前記２軸ヒンジブロックは、ロックスリーブがアーム部材に対して２つの異なる方向へ垂直に配向された２つの軸を中心に回転することを許容するように構成される。
【図面の簡単な説明】
【０００５】
【図１】整形外科装置が伸延モードにある間、互いに向かって回転するロックスリーブ取付部を示す本開示による整形外科装置を図示している。
【図２Ａ】ロックスリーブ取付部を除去した図１の整形外科装置を図示している。
【図２Ｂ】図１の整形外科装置のラックアンドピニオン機構を図示している。
【図３】３点曲げヨーク取付部を備えた図１の整形外科装置の実施例を図示している。
【図４Ａ】ｘ軸に沿って見た一直線の位置における２軸回転ロックスリーブ取付部を図示している。
【図４Ｂ】ｘ軸を中心に回転する２軸回転ロックスリーブを図示している。
【図５Ａ】ｙ軸を中心に回転する２軸回転ロックスリーブを図示している。
【図５Ｂ】ｘ軸とｙ軸を中心に回転する２軸回転ロックスリーブを図示している。
【図６Ａ】図６Ｂの断面図が切り取られたロックスリーブの中心を通って延びるＮ−Ｎの平面を示すｙ軸に沿って見た２軸ヒンジブロックに連結されたロックスリーブを図示している。
【図６Ｂ】回転位置にある２軸回転ロックスリーブ取付部を通って切り取られたＮ−Ｎの平面に沿った断面図である。
【図７Ａ】図７Ｂの断面図が切り取られたロックスリーブの非中心部を通って延びるＬ−Ｌの平面を示す図６Ａを図示している。
【図７Ｂ】回転位置にある２軸回転ロックスリーブ取付部を通って切り取られたＬ−Ｌの平面に沿った断面図である。
【図８Ａ】図８Ｂの断面図が切り取られたロックスリーブの中心に沿って延びるＭ−Ｍの平面を示す図６Ａを図示している。
【図８Ｂ】非回転位置の２軸回転ロックスリーブ取付部を通って切り取られたＭ−Ｍの平面に沿った断面図である。
【図９Ａ】図９Ｂの断面図が切り取られたロックスリーブの非中心部を通って延びるＮ−Ｎの平面を示す図６Ａを図示している。
【図９Ｂ】回転位置の２軸回転ロックスリーブ取付部を通って切り取られたＮ−Ｎの平面に沿った断面図である。
【図１０Ａ】図示している２軸ヒンジブロックのｙ軸のロックピン部のみを示す非回転位置の２軸回転ロックスリーブを図示している。
【図１０Ｂ】図示している２軸ヒンジブロックのｙ軸のロックピン部のみを示す回転位置の２軸回転ロックスリーブを図示している。
【図１１Ａ】別の角度から見た図１０Ａと同じ構成の２軸回転ロックスリーブを図示している。
【図１１Ｂ】別の角度から見た図１０Ｂと同じ構成の２軸回転ロックスリーブを図示している。
【図１２】ロックスリーブのネジコレット端部と断面が図示されているコレットナットを示す分解正投影図である。
【発明を実施するための形態】
【０００６】
前記参照の図面に示されている特徴は、概略的に図示されたものであり、縮尺によって描かれたり、精密な位置関係で示されるように意図されたものではない。同様の参照番号は同様の部品を示している。
【０００７】
好ましい実施例に関する本説明は、全体の説明の一部としてみなされる添付図面と併せて読むように意図されたものである。本明細書において、「下部」、「上部」、「水平」、「垂直」、「上で」、「下で」、「上に」、「下に」、「上端」および「下端」のような相対語だけでなく、その派生語（例えば、「水平に」、「下向きに」、「上向きに」等）は、後述または説明中の図面に図示されるような方向を指すものと解釈すべきである。これら相対語は、説明の便宜のためのものであるだけで、装置が特定方向に構成される、または作動することを必要とするのではない。「連結された」および「相互連結された」のような取付、係合等と関連する用語は、明白に異なるよう説明されない限り、移動可能な若しくは堅固な取付又は関係を含み、構造物が直接的にまたは介在する構造物を介して間接的に固定されたり取付けられる関係を称する。
【０００８】
図１乃至図２Ｂは、本開示の一側面による骨部分の圧縮または伸延のために用いることができる整形外科装置１００を示している。整形外科装置１００は、第１の端部１０と第２の端部２０とを有する長方形の本体１１０を含む。第１のアーム部材１１２は、第１の端部１０から長方形の本体１１０の横方向に延びる。第１のアーム部材１１２は、本体１１０と一体に形成されるか、または別の方式で長方形の本体１１０に取付けることができる。第２のアーム部材１１１は、長方形の本体１１０から横方向に延びる。第２のアーム部材１１１は、装置の圧縮または伸延機能を達成するために、第２のアーム部材１１１が長方形の本体１１０に沿って縦方向に移動できるようにすると共に、長方形の本体１１０に移動可能に係合するように構成されて適用される基部１１３と共に構成される。
【０００９】
長方形の本体１１０と第２のアーム部材１１１との間の移動可能な係合を可能にするための実際の構造的機構は、本技術分野で知られている多くのそのような構造の１つであり得る。図２Ｂを参照すると、一実施例において、長方形の本体１１０は、ギア歯１１０ａのラックであり、基部１１３上に提供されたピニオンギア１１５ａは、長方形の本体に沿って第２のアーム部材１１１を縦方向に移動させるためのギア歯１１０ａのラックと噛み合う。ピニオンギア１１５ａは、基部１１３に回転可能に取付けられ、第２のアーム部材１１１は、ピニオンギア１１５ａを回すことにより縦方向に移動する。ピニオンギア１１５ａには、使用者がピニオンギアを回すことができるようにするためにキーのボウ（bow）と類似するボウ１１５が提供される。
【００１０】
基部１１３は、圧縮または伸延モードで選択可能に作動することができるラチェット（ratcheting）機構と共に構成される。例えば、基部１１３は、図２Ｂに示されているように、長方形の本体１１０に沿って第２のアーム部材１１１の移動方向を一方向の移動に制限するためのばね負荷型（spring-loaded）のラチェットピン機構１１６を備えることができる。
【００１１】
図２Ｂに示されている構成において、ばね負荷型のラチェットピン機構１１６は、ラチェットピン機構１１６が止め金１１６ａによってラチェット歯１１０ｂと係合するように配置される。コイルばねＳは、ラチェット歯１１０ｂに対して止め金１１６ａを加圧する。ラチェット歯１１０ｂが、ばねＳに対して止め金１１６ａを押して止め金１１６ａの上を滑るように動くことができるように、止め金１１６ａは、図示されているように一側に傾斜面を有する。長方形の本体１１０は、矢印ＡＡの方向にピニオンギア１１５ａを回すことにより、矢印ＡＡ１の方向に移動できる。止め金１１６ａは、長方形の本体１１０が矢印ＢＢ１によって示されている反対方向に移動することを防止するものである。
【００１２】
長方形の本体１１０を矢印ＢＢ１の方向に移動させるために、ばね負荷型のラチェットピン機構１１６は１８０度回転し、止め金１１６ａの傾斜側が反対方向に向く。かかる特徴は、一方向の移動、第２のアーム部材１１１の方向を変えるのに用いられ、整形外科装置１００の作動が圧縮から伸延に、および伸延から圧縮に変わる。ばね負荷型のラチェットピン機構１１６は、サムホイール１１７を用いてピン機構を引き抜き、１８０度回した後に置くことによって１８０度回転することができる。ばねの付勢力は、ピン機構１１６を着座位置に戻るだろうが、止め金１１６ａは、以前とは１８０度反対側を向くようになるであろう。その後、ピニオンギア１１５ａは、矢印ＢＢの方向に回転して長方形の本体１１０を矢印ＢＢ１の方向に移動させることができる。基部１１３と長方形の本体１１０との間のラチェット機構のまた別の例示は、内容全体が本願に参照として含まれている本出願人が２０１２年１２月１２日付で出願した米国特許出願第１３/７１２,３００号に記載されている。
【００１３】
図１に示されている本開示による整形外科装置１００において、ロックスリーブ１２０の取付部は、図４Ａ乃至図９Ｂに示されている２軸ヒンジブロック１３０によって第１および第２のアーム部材１１１，１１２の外端部に枢支可能に連結される。ロックスリーブ１１２は、長方形のピンを収容して長方形のピン上にロックされるように構成され、２軸ヒンジブロック１３０は、それぞれのロックスリーブがそれに対応するアーム部材１１１または１１２に対して２つの異なる方向へ垂直に配向された２つの軸を中心に回転可能にするように構成される。２軸ヒンジブロック１３０は、図４Ａ乃至図９Ｂと共に下記で詳細に図示および説明される。
【００１４】
図１において、整形外科装置１００は伸延モードにあり、長方形のピン５を保持するロックスリーブ取付部１２０は、２つのロックスリーブ取付部１２０の間で角度θを形成し、互いに向かって回転している状態で示されている。
【００１５】
図４Ａ乃至図５Ｃを参照すると、整形外科装置１００はまた、２軸ヒンジブロック１３０によってそれぞれの第１および第２のアーム部材１１１，１１２の外端部に枢支可能に連結されたロックスリーブ１２０を含み、それぞれのロックスリーブ１２０は、（図示されていない）長方形のピンをロック可能に収容するように構成される。
【００１６】
ロックスリーブ１２０は、長方形のシャフトを貫通して延びる長方形のピン収容ボア１２７（図６Ｂ、図７Ｂ、図８Ｂ、図９Ｂ参照）を有する長方形のシャフト１２４と、ピン収容ボア１２７に収容される長方形のピンとをロックするか、またはこれを堅固に保持するために、長方形のシャフトの一端部に提供されるネジコレット２２０（図７参照）を含む。図１２を参照すると、ネジコレット２２０はスロット２２２によって規定され、その外部表面に一体に形成されたネジ山２２７ａ，２２６ｂを備える複数のコレットアーム２２１と、長方形のピン収容ボア１２７に収容された長方形のピン５とをロックするか、または堅固に保持するために、ネジコレット２２０と螺合するコレットナット１２２を含む。
【００１７】
図１２は、ネジコレット２２０とコレットナット１２２の細部構造を示している。図１２におけるコレットナット１２２の縦断面図に示されているように、コレットナット１２２はネジコレット２２０を収容するために一端部で開放されており、コレット２２０のネジ山２２７ａ，２２７ｂと螺合するためのネジ山１２２ｂを備える内部表面を有する。ネジコレット収容端部の反対の端部には、長方形のピン収容ボア１２７に収容される長方形のピンのために貫通孔１２２ａが提供される。コレットナット１２２の内部表面は、コレットアーム２２１との係合のために円錐型の表面１２２ｃに形成される。長方形のピン５が長方形のピン収容ボア１２７に収容される際、コレットナット１２２のネジ作用は、コレットアーム２２１が半径方向の内側に移動し、長方形のピンにクランプされて、適所に長方形のピンをロックするようにする。一般的に、使用者が手でコレットナット１２２を締めることにより、長方形のピン収容ボア１２７内に収容された長方形のピンをロックすることが予想される。ネジコレット２２０とコレットナット１２２の構造に関するさらなる詳細な説明は、内容全体が本願に参照として含まれている本出願人が２０１２年１２月１２日付で出願した米国特許出願第１３/７１２,３００号から探すことができる。
【００１８】
図４Ａ乃至図５Ｃに示されているように、２軸ヒンジブロック１３０のそれぞれは、２つの垂直に配向された軸、即ち、ｘ軸とｙ軸を中心に２つの方向にロックスリーブ１２０を回転させることができるように構成される。２軸ヒンジブロック１３０は、米国特許出願第１３/７１２,３００号に開示されている整形外科装置のヒンジ接合がロックスリーブをアーム部材１１１，１１２の外端部に連結する方式と同様に、アーム部材１１１，１１２のうち１つの外端部にロックスリーブ１２０を直接連結することができる。本開示の実施例において、アーム部材１１１，１１２の外端部は、ロックスリーブ１２０または一部異なる取付部のモジュール型の連結のために構成される。
【００１９】
３点曲げヨーク取付部５００Ａ，５００Ｂが第１および第２のアーム部材１１１，１１２に取付けられている整形外科装置１００の例示は、図３に示されている。かかる３点曲げヨーク取付部は、骨片の半径方向に伸延を達成するために用いることができる。
【００２０】
図２Ａに示されているように、第１および第２のアーム部材１１１，１１２の外端部は、取付部を収容するように構成される。図５Ｃに示されているように、２軸ヒンジブロック１３０は、第１および第２のアーム部材１１１，１１２に取り外し可能に取付けられるように構成されたアーム延長片１１１ａ，１１２ａに枢支可能に連結される。第１および第２のアーム部材とアーム延長片との間にかかる取付を可能にする具体的な構造は、当業者によく知られていたり自明且つ多様な構造のうちの１つとなり得るので、ここで詳細に記載する必要はない。
【００２１】
図４Ａおよび図４Ｂを参照すると、２軸ヒンジブロック１３０は、第１の回転軸、即ち、ｘ軸を中心に回転する第１のヒンジ接合を含む。第１のヒンジ接合は、ロックスリーブ１２０が図４Ｂで矢印Ａによって示されている第１の方向にｘ軸を中心に回転するようにする。第１のヒンジ接合は、ｘ軸を形成し、２軸ヒンジブロック１３０をアーム延長片１１１ａ，１１２ａに連結させる回転ピン１２１を含み得る。また、２軸ヒンジブロック１３０は、第１の回転軸に垂直な第２の回転軸、即ち、ｙ軸を中心に回転する第２のヒンジ接合を含む。従って、２軸ヒンジブロック１３０は、ロックスリーブ１２０が２つの垂直に配向された回転軸を中心に２つの方向に回転するようにする。図５Ａは、ロックスリーブ１２０が第２の回転軸、即ち、ｙ軸を中心に回転し、アーム延長片１１１ａ，１１２ａの縦方向軸Ｌから傾くことを示している。図５Ｂは、２軸ヒンジブロック１３０の両回転軸を中心に回転するロックスリーブ１２０の正射投影図を示している。
【００２２】
図示されている例示において、第１のヒンジ接合は、ｘ軸と整列し、２軸ヒンジブロック１３０をアーム延長片１１１ａ，１１２ａに連結させるピン２０によって形成される。第１の回転軸、即ち、ｘ軸は整形外科装置の長方形の本体１１０に平行に配向される。
【００２３】
本開示の一側面によると、第１のヒンジ接合は、ばね負荷型のロックピン１１２ｂによって、通常、所定の回転角でロックされ、第１の回転軸、即ち、ｘ軸を中心に回転することが防止されるように構成されて適用され得る。ばね負荷型のロックピン１１２ｂが加圧されると、第１のヒンジ接合はロックが解除され、ｘ軸を中心に自由に回転する。
【００２４】
２軸ヒンジブロック１３０の第２のヒンジ接合は、さらに図６Ａ乃至図１１Ｂを用いてより詳細に記載されている。第２のヒンジ接合は、ロックスリーブ１２０の長方形のシャフトから垂直に延び、第２の回転軸、即ち、ｙ軸に沿って２軸ヒンジブロック１３０内に収容される回転シャフト１２５によって形成される。回転シャフト１２５は、２つの位置の間で第２の回転軸に沿って２軸ヒンジブロック１３０内で移動可能である。ロックされた第１の位置は、ロックスリーブ１２０が第２の回転軸を中心に回転することを防止する非回転位置にロックスリーブ１２０を保持させ、ロック解除された第２の位置は、ロックスリーブ１２０が第２の回転軸を中心に回転するようにする。
【００２５】
図６Ａ乃至図７Ｂは、２軸ヒンジブロック１３０内でロック解除された第２の位置の回転シャフト１２５を示しており、ロックスリーブ取付部１２０は、ｙ軸を中心に回転することができる。図６Ａは、図６Ｂの断面図が切り取られたロックスリーブ取付部１２０の中心を通って延びるＮ−Ｎの平面を示すｙ軸に沿って見た２軸ヒンジブロック１３０に連結されたロックスリーブ取付部１２０を図示している。図６Ｂは、Ｎ−Ｎに沿って切り取った断面図である。図７Ａは、図７Ｂの断面図が切り取られたロックスリーブ取付部１２０の非中心部を通って延びるＬ−Ｌの平面を示す図６Ａを図示している。図７Ｂは、Ｌ−Ｌに沿った断面図である。２軸ヒンジブロック１３０は、内部を貫通する回転シャフト１２５を収容するための貫通孔１３１を備える。回転シャフト１２５は、環状溝１２６を有し、２軸ヒンジブロック１３０は、環状溝１２６に係合されてロックスリーブ１２０をロック解除された第２の位置に保持させるロックキー１４０を備える。ロックキー１４０と回転シャフト１２５との間の係合関係は、図１０Ｂでさらによく示されているが、図１０Ｂには２軸ヒンジブロック１３０を除き、ロックスリーブの回転シャフト１２５とロックキー１４０のみが示されている。ロックキー１４０は、環状溝１２６内に置かれ、回転シャフト１２５がｙ軸に沿って移動することを防止し、回転シャフト１２５、そしてロックスリーブ１２０がｙ軸を中心に回転できるようにする。
【００２６】
図８Ａ乃至図９Ｂは、２軸ヒンジブロック１３０内で回転シャフト１２５がロックされた第１の位置、即ち、非回転位置にあることを示している。ロックスリーブ取付部１２０は、固定された配向にあり、ｙ軸を中心に回転することができない。図８Ａは、図６と同じ図であるが、図８Ｂの断面図が切り取られたロックスリーブの中央を通って延びるＭ−Ｍの平面を示している。図８Ｂは、Ｍ−Ｍに沿って切り取った断面図である。図９Ａは、図６Ａと同じ図であるが、 図９Ｂの断面図が切り取られたロックスリーブの非中心部を通って延びるＮ−Ｎの平面を示している。図９Ｂは、Ｎ−Ｎに沿った断面図である。ロックされた第１の位置において、回転シャフト１２５は、２軸ヒンジブロック１３０の貫通孔１３１内にさらに加圧され、ロックキー１４０は、これ以上環状溝１２６内に置かれない。図１０Ａ乃至図１１Ｂを参照すると、回転シャフト１２５は、回転シャフト１２５の基部（長方形のシャフト１２４に連結された長方形のシャフト１２４の一部分）に隣接し、１つ以上の整列タブ１２８を備え、２軸ヒンジブロック１３０の貫通孔１３１は、整列タブ１２８を収容するように構成されて適用された整列タブ収容端部１３２（図７Ｂ参照）を有する。好ましくは、整列タブ１２８は、回転シャフトの基部上で互いに反対側に位置する２つのタブであるが、別の非対称的に位置する構造も考慮される。
【００２７】
貫通孔１３１の整列タブ収容端部１３２は、整列タブ１２８の横断面の輪郭と一致する開口輪郭を有し、回転シャフト１２５が貫通孔１３１内にさらに加圧された、ロックされた第１の位置で、整列タブ１２８は整列タブ収容端部１３２と係合、または整合されて、ロックスリーブがｙ軸を中心に回転することを防止する。
【００２８】
一実施例において、ロックされた第１の位置は、ロックスリーブ１２０の長方形のシャフト１２４を整形外科装置のアーム部材１１１，１１２と平行な配向に保持する配向でロックスリーブ１２０を固定する。別の実施例において、整列タブ１２８と整列タブ収容端部１３２は、ｙ軸に対して所定の傾斜した配向にロックスリーブ１２０を保持するように構成することができる。
【００２９】
図６Ａ乃至図９Ｂを参照すると、回転シャフト１２５は、貫通孔１３１の端部キャップ収容部１３３内にコイルばね１５０を捕獲する端部キャップ１２９を備える。コイルばねは、常に端部キャップ１２９に対して回転シャフト１２５を貫通孔１３１内にさらに加圧して、または図８Ａ乃至図９Ｂに示されているロックされた第１の位置の方に向けて加圧して引張するように、コイルばねは、端部キャップ収容部１３３内で通常圧縮状態にある。
【００３０】
図１０Ａおよび図１１Ａは、回転シャフト１２５がロックされた第１の位置にあるときのロックキー１４０と回転シャフト１２５との位置関係を示している。ロックされた第１の位置において、ロックキー１４０は、環状溝１２６内に置かれていない。
【００３１】
一実施例によると、ロックキー１４０は、ｙ軸、即ち、第２の回転軸を横断する図１０Ａおよび図１０Ｂに示されているＣ方向に加圧されるように２軸ヒンジブロック１３０内にばね負荷を受ける。図９Ｂおよび図１０Ａに示されているロックされた第１の位置から回転シャフト１２５をロック解除するために、回転シャフトの端部キャップ１２９は、図１０Ａに示されているＢ方向に加圧される。これは、ｙ軸に沿って回転シャフト１２５をロック解除された第２の位置に移動させ、環状溝１２６は、ロックキー１４０と整列する。ロックキー１４０がばね負荷を受けてＣ方向に加圧されているため、ロックキー１４０は、環状溝１２６内に滑り込んで回転シャフト１２５が外れることを防止し、回転シャフト１２５をロック解除された第２の位置に保持させるであろう。回転シャフト１２５を非回転の第１の位置に再移動させるために、ロックキー１４０の端部キャップ１４１がＣの反対方向に加圧されて、ロックキー１４０が環状溝１２６から滑り出てくるようにする。ロックキー１４０が環状溝１２６から出てきた状態で、整列タブ１２８が貫通孔１３１の整列タブ収容端部１３２の整合輪郭と整列すると、ばね負荷を受ける回転シャフト１２５はＢの反対方向にｙ軸に沿って滑って第１の位置に戻るであろう。
【００３２】
上述したように、本開示の整形外科装置１００は、ロックスリーブ１２０の長方形のピン収容ボア１２７にロックされるキルシュナー鋼線のような長方形のピンによって、第１および第２のアーム部材１１２，１１１に固定される骨部分の圧縮または伸延のために用いることのできる汎用装置である。図１を参照すると、骨部分が固定された後に、移動可能な第２のアーム部材１１１は回転キーハンドル１１５を回転させることにより、圧縮方向２０１または伸延方向２０２に移動し得る。
【００３３】
本発明は、例示的な実施例の観点で記載されているが、それに制限されるものではない。むしろ、添付された請求項は、当業者によって本発明の均等物の領域と範囲を離れず、当業者によって行い得る本発明の別の変形例と実施例を含むものと広義的に解釈すべきである。本明細書で開示されている本発明の範囲は、添付された請求範囲によってのみ限定されるべきである。
【図１】
2016513559.tif 000003
【図２Ａ】
2016513559.tif 000004
【図２Ｂ】
2016513559.tif 000005
【図３】
2016513559.tif 000006
【図４Ａ】
2016513559.tif 000007
【図４Ｂ】
2016513559.tif 000008
【図５Ａ】
2016513559.tif 000009
【図５Ｂ】
2016513559.tif 000010
【図６Ａ】
2016513559.tif 000011
【図６Ｂ】
2016513559.tif 000012
【図７Ａ】
2016513559.tif 000013
【図７Ｂ】
2016513559.tif 000014
【図８Ａ】
2016513559.tif 000015
【図８Ｂ】
2016513559.tif 000016
【図９Ａ】
2016513559.tif 000017
【図９Ｂ】
2016513559.tif 000018
【図１０Ａ】
2016513559.tif 000019
【図１０Ｂ】
2016513559.tif 000020
【図１１Ａ】
2016513559.tif 000021
【図１１Ｂ】
2016513559.tif 000022
【図１２】
2016513559.tif 000023
【国際調査報告】
2016513559.tif 000024
2016513559.tif 000025
2016513559.tif 000026